(57)【要約】【課題】  従来の包装装置よりも、駆動ローラ、押し付け従動ローラ、押し付け・退避機構およびモータを１組減らして従来と変わらぬ機能実現。【解決手段】  被包装物１の入った折り合わせシート６の先端10が第１センサ11に達したら、押し付け従動ローラ７を送り出しローラ８に押し付けるとともに、モータ９で反時計方向に回転させて折り合わせシート６を下方へ送り、被包装物１の後端が第２センサ16を通過し終わったらモータ９を停止させ、ヒータ押し当て・退避機構13で、ヒータ14により、折り合わせシート６をヒータ受け部15へ押し付け熱溶着し、溶着時間が経過したらモータ９を逆転させて折り合わせシート６を上へ引き戻して切断するので、従来の引っ張りローラ、これに対する押し付け従動ローラ、押し付け・退避機構、モータが不要となる。【選択図】        図１
2006290434.tif 000002
【特許請求の範囲】
【請求項１】
下記の各手段を具備することを特徴とする包装装置。
（イ）  被包装物を連続樹脂フィルムシートで包む包装部
（ロ）  樹脂フィルムシート又は被包装物を包んだ樹脂フィルムシートを送り出すための送り出し機構
（ハ）  送り出し機構を回転駆動するモータ
（ニ）  送り出し時、被包装物を包んだ樹脂フィルムシートを送り出し機構へ押し付けるための押し付け手段
（ホ）  押し付け手段の押し付けや退避を行わせる押し付け・退避機構
（ヘ）  送り出し機構、押し付け手段の下流にあって、樹脂フィルムシートに包まれた被包装物の先端の到来を検知する第１センサ
（ト）  第１センサより下流にあって、樹脂フィルムシートに包まれた被包装物の後端の通過を検知する第２センサ
（チ）  第１センサと第２センサの間にあって樹脂フィルムシートに押し当てられ押し当て部分を熱溶着して包装を閉じるヒータ
（リ）  ヒータの樹脂フィルムシートへの押し当てを受け止めるヒータ受け部
（ヌ）  ヒータを樹脂フィルムシートへ押し当てたり退避させたりするヒータ押し当て・退避機構
（ル）  第１センサの検知信号を受けて、押し付け・退避機構に押し付け動作を行わせるとともにモータを回転させ、第２センサの検知信号を受けてモータの回転を停止させ、ヒータ押し当て・退避機構に押し当て動作を行わせ、予め設定された溶着時間経過後に、モータに予め設定した時間又は回転数だけ逆転させた後、ヒータ押し当て退避機構に退避動作を行わせるよう制御する制御器
【請求項２】
第１センサ、ヒータ受け部、ヒータおよび第２センサが、送り出し機構および押し付け手段よりも低い位置にあることを特徴とする請求項１記載の包装装置。
【請求項３】
下記の各手段を具備することを特徴とする包装装置。
（イ）  被包装物を連続樹脂フィルムシートで包む包装部
（ロ）  樹脂フィルムシート又は被包装物を包んだ樹脂フィルムシートを送り出すための送り出し機構
（ハ）  送り出し機構を回転駆動するモータ
（ニ）  送り出し時、被包装物を包んだ樹脂フィルムシートを送り出し機構へ押し付けるための押し付け手段
（ホ）  押し付け手段の押し付けや退避を行わせる押し付け・退避機構
（ヘ）  包装装置を起動させる手動スイッチ
（ト）  樹脂フィルムシートに包まれた被包装物の後端の通過を検知するセンサ
（チ）  前記センサの上流側にあって樹脂フィルムシートに押し当てられ押し当て部分を熱溶着して包装を閉じるヒータ
（リ）  ヒータの樹脂フィルムシートへの押し当てを受け止めるヒータ受け部
（ヌ）  ヒータを樹脂フィルムシートへ押し当てたり退避させたりするヒータ押し当て・退避機構
（ル）  前記手動スイッチのオン操作信号を受けて、押し付け・退避機構に押し付け動作を行わせるとともにモータを回転させ、前記センサの検知信号を受けてモータの回転を停止させ、ヒータ押し当て・退避機構に押し当て動作を行わせ、予め設定された溶着時間経過後に、モータに予め設定した時間又は回転数だけ逆転させた後、ヒータ押し当て退避機構に退避動作を行わせるよう制御する制御器
【請求項４】
ヒータ受け部、ヒータおよびセンサが、送り出し機構および押し付け手段よりも低い位置にあることを特徴とする請求項３記載の包装装置。
【請求項５】
ヒータ受け部およびヒーターの下方は、包装完了品が落下し得る空間となっていることを特徴とする請求項１〜４のいずれか１項に記載の包装装置。
【請求項６】
送り出し機構と押し付け手段が対向するローラで構成されていることを特徴とする請求項１〜５のいずれか１項に記載の包装装置。
【請求項７】
ローラが、被包装物の少なくとも両側縁部を挟むよう配置されたものであることを特徴とする請求項６記載の包装装置。
【請求項８】
ヒータ押し当て・退避機構が、パルスモータと回転往復運動変換機構を用いたものであることを特徴とする請求項１〜７のいずれか１項に記載の包装装置。
【請求項９】
請求項１〜８のいずれか１項の構成に加えて、ヒータ押し当て・退避機構上で、ヒータより樹脂フィルムシートの流れの下流側位置から、ヒータより前側に張り出し、ヒータ押し当て時ヒータより先に樹脂フィルムシートをヒータ受け部に押し付け、ヒータ退避時に、ヒータが離れ始めてもなお樹脂フィルムシートをヒータ受け部に押し付け、樹脂フィルムシートがヒータに粘着していくのを防止するフィルム・ヒータ粘着防止弾性部材を有することを特徴とする包装装置。
【請求項１０】
請求項１〜９のいずれか１項の構成に加えて、ヒータ押し当て・退避機構上で、ヒータより樹脂フィルムシートの流れの下流側の位置からヒータとともに張り出し、ヒータ押し当て時ヒータとともに樹脂フィルムシートをヒータ受け部に押さえ付け、溶着後モータ逆転による樹脂フィルムシートの切断を確実にするシート押さえ手段を有することを特徴とする包装装置。
【請求項１１】
請求項１〜１０のいずれか１項の構成に加えて、ヒータの樹脂フィルムシートに対する熱溶着時間を設定する熱溶着時間可変設定手段を有することを特徴とする包装装置。
【発明の詳細な説明】
【技術分野】
【０００１】
本発明は、ロールに巻き付けられている帯状の樹脂フィルムシートを引き出して被包装物をくるみその入口側を熱溶着、熱溶断して排出する包装装置の技術分野に属する。
【背景技術】
【０００２】
図７は従来のこの種包装装置の構成を示すブロック図である。
ロール５に巻かれている樹脂フィルムシート３が包装部４に掛け渡されており、そこから送り出しローラ８と第１押し付け従動ローラ２０の間に下っておりその先端１０は、前の包装工程で熱溶着閉じが行われている。この状態で包装部４の開口部２から被包装物１が投入される。
【０００３】
包装部４の構造は図８のようになっている。
即ち、表面を樹脂フィルムシートが滑り易い（ａ）のような形状をした金属板３１を左右の点線に沿って、先に右側の方をほぼ１８０度折り曲げ、次いで左側の方を若干の隙間をあけて重ねるようにほぼ１８０度折り曲げて、（ｃ）のようにしたものである。
（ｂ）は（ｃ）を上方から見た図であり、（ｄ）は（ｃ）を下方から見た図である。
【０００４】
このような構造に対し、樹脂フィルムシート３を（ｃ）の背面側から（ｃ）の開口部２へ挿入すると図９のようになり、下方へ引き出すと、（ｃ）のように、樹脂フィルムシート３の両側が手前側中央部で両端縁が重なり合うように折り合わされた折り合わせシート６になる。このように折り込まれた折り合わせシート６の下端を溶着して閉じておくと袋状になり、開口部２から投入した被包装物１は底のある折り合わせシート（但し、重ね部分は溶着されていない）に入ったことになる。そして、被包装物１の自重で降下して行きその先端１０が第１センサ１１の所まで来て、その到来が検知されると第１押し付け・退避機構１９が第１押し付け従動ローラ２０を送り出しローラ８へ押し付けるとともに、送り出しローラ８を反時計方向に回転させ包装物（折り合わせシート６の中に被包装物１が入ったもの）を下方へ送り出す。そして、被包装物１の後端（図では上端）が第２センサ１６の位置を通過すると第２センサ１６が通過を検知し、これにより、送り出しローラ８の回転を停止させるとともに、ヒータ押し当て・退避機構１３がヒータ１４を押し出して折り合わせシート６をヒータ受け部１５に押し当てさせるようにする。
【０００５】
ヒータの幅（図７の紙面に垂直方向の寸法）は折り合わせシート６の幅以上あり、加熱されているので、樹脂フィルムシートの折り合わせシート６は幅方向で直線状に溶着されて閉じられることになる。
溶着時間は予め定まっており、その時間が経過すると、ヒータ１４は退避し、今度は第２押し付け・退避機構２１が第２押し付け従動ローラ２２を引っ張りローラ１８に押し付けるとともに引っ張りローラ１８を反時計方向に回転させて包装物を下方へ引っ張ることにより、溶着部分を引きちぎって分離し、下方へ排出する。排出され終わると引っ張りローラ１８は停止するとともに、第１押し付け・退避機構１９および第２押し付け・退避機構２１を退避させて、次の包装動作に備える。
【０００６】
以上の動作において、送り出しローラ８の回転開始および停止、第１押し付け・退避機構１９の押し付け・退避動作、ヒータ押し当て・退避機構１３の押し当て・退避動作、引っ張りローラ１８の回転開始および停止、第２押し付け・退避機構２１の押し付け退避動作は、図示されていない制御器が第１センサ１１および第２センサ１６の検知信号を受けて、予め定められたプログラムに従って制御されるようになっている（以上は、出願人の見聞および体験に基づくものであり、本出願時、以上のことについて記載された刊行物その他の公知文献について出願人の知っているものはない）。
【発明の開示】
【発明が解決しようとする課題】
【０００７】
上記のような、簡易な包装装置に対して、求められていることは装置の簡略化、小型化、価格の低廉化である。
特に可動部分を少なくするということが、簡略化、小型化、低廉化にとって重要である。
そこで従来装置を見ると、モータによって駆動されるローラが、送り出しローラ８と引っ張りローラ１８と２つあり、これに対応して、第１押し付け従動ローラ２０、第２押し付け従動ローラ２２とそれぞれを押し付け・退避させる第１押し付け・退避機構１９、第２押し付け・退避機構２１というように、押し付け従動ローラと押し付け・退避機構も２組設けられている。
【０００８】
そこで、これを１組に減らして従来通りの機能を発揮できる包装装置を提供しようとするのが、本発明が解決しようとする課題である。
【課題を解決するための手段】
【０００９】
上記の課題を解決するために、本発明の包装装置は以下の各手段構成を有する。
本発明の第１の構成（基本構成）は、下記の各手段を具備することを特徴とする包装装置である。
（イ）  被包装物を連続樹脂フィルムシートで包む包装部
（ロ）  樹脂フィルムシート又は被包装物を包んだ樹脂フィルムシートを送り出すための送り出し機構
（ハ）  送り出し機構を回転駆動するモータ
（ニ）  送り出し時、被包装物を包んだ樹脂フィルムシートを送り出し機構へ押し付けるための押し付け手段
（ホ）  押し付け手段の押し付けや退避を行わせる押し付け・退避機構
（ヘ）  送り出し機構、押し付け手段の下流にあって、樹脂フィルムシートに包まれた被包装物の先端の到来を検知する第１センサ
（ト）  第１センサより下流にあって、樹脂フィルムシートに包まれた被包装物の後端の通過を検知する第２センサ
（チ）  第１センサと第２センサの間にあって樹脂フィルムシートに押し当てられ押し当て部分を熱溶着して包装を閉じるヒータ
（リ）  ヒータの樹脂フィルムシートへの押し当てを受け止めるヒータ受け部
（ヌ）  ヒータを樹脂フィルムシートへ押し当てたり退避させたりするヒータ押し当て・退避機構
（ル）  第１センサの検知信号を受けて、押し付け・退避機構に押し付け動作を行わせるとともにモータを回転させ、第２センサの検知信号を受けてモータの回転を停止させ、ヒータ押し当て・退避機構に押し当て動作を行わせ、予め設定された溶着時間経過後に、モータに予め設定した時間又は回転数だけ逆転させた後、ヒータ押し当て退避機構に退避動作を行わせるよう制御する制御器
【００１０】
本発明第２の構成は、前記第１の構成において、第１センサ、ヒータ受け部、ヒータおよび第２センサが、送り出し機構および押し付け手段よりも低い位置にあることを特徴とする包装装置である。
【００１１】
本発明の第３の構成は、下記の各手段を具備することを特徴とする包装装置である。
（イ）  被包装物を連続樹脂フィルムシートで包む包装部
（ロ）  樹脂フィルムシート又は被包装物を包んだ樹脂フィルムシートを送り出すための送り出し機構
（ハ）  送り出し機構を回転駆動するモータ
（ニ）  送り出し時、被包装物を包んだ樹脂フィルムシートを送り出し機構へ押し付けるための押し付け手段
（ホ）  押し付け手段の押し付けや退避を行わせる押し付け・退避機構
（ヘ）  包装装置を起動させる手動スイッチ
（ト）  樹脂フィルムシートに包まれた被包装物の後端の通過を検知するセンサ
（チ）  前記センサの上流側にあって樹脂フィルムシートに押し当てられ押し当て部分を熱溶着して包装を閉じるヒータ
（リ）  ヒータの樹脂フィルムシートへの押し当てを受け止めるヒータ受け部
（ヌ）  ヒータを樹脂フィルムシートへ押し当てたり退避させたりするヒータ押し当て・退避機構
（ル）  前記手動スイッチのオン操作信号を受けて、押し付け・退避機構に押し付け動作を行わせるとともにモータを回転させ、前記センサの検知信号を受けてモータの回転を停止させ、ヒータ押し当て・退避機構に押し当て動作を行わせ、予め設定された溶着時間経過後に、モータに予め設定した時間又は回転数だけ逆転させた後、ヒータ押し当て退避機構に退避動作を行わせるよう制御する制御器
【００１２】
本発明第４の構成は、前記第３の構成において、ヒータ受け部、ヒータおよびセンサが、送り出し機構および押し付け手段よりも低い位置にあることを特徴とする包装装置である。
【００１３】
本発明第５の構成は、前記第１〜第４の構成のいずれか１つの構成において、ヒータ受け部およびヒーターの下方は、包装完了品が落下し得る空間となっていることを特徴とする包装装置である。
【００１４】
本発明第６の構成は、前記第１〜第５の構成のいずれか１つの構成において、送り出し機構と押し付け手段が対向するローラで構成されていることを特徴とする包装装置である。
【００１５】
本発明第７の構成は、前記第６の構成において、ローラが、被包装物の少なくとも両側縁部を挟むよう配置されたものであることを特徴とする包装装置である。
【００１６】
本発明第８の構成は、前記第１〜第７の構成のいずれか１つの構成において、ヒータ押し当て・退避機構が、パルスモータと回転往復運動変換機構を用いたものであることを特徴とする包装装置である。
【００１７】
本発明第９の構成は、前記第１〜第８の構成のいずれか１つの構成に加えて、ヒータ押し当て・退避機構上で、ヒータより樹脂フィルムシートの流れの下流側位置から、ヒータより前側に張り出し、ヒータ押し当て時ヒータより先に樹脂フィルムシートをヒータ受け部に押し付け、ヒータ退避時に、ヒータが離れ始めてもなお樹脂フィルムシートをヒータ受け部に押し付け、樹脂フィルムシートがヒータに粘着していくのを防止するフィルム・ヒータ粘着防止弾性部材を有することを特徴とする包装装置である。
【００１８】
本発明第１０の構成は、前記第１〜第９の構成のいずれか１つの構成に加えて、ヒータ押し当て・退避機構上で、ヒータより樹脂フィルムシートの流れの下流側の位置からヒータとともに張り出し、ヒータ押し当て時ヒータとともに樹脂フィルムシートをヒータ受け部に押さえ付け、溶着後モータ逆転による樹脂フィルムシートの切断を確実にするシート押さえ手段を有することを特徴とする包装装置である。
【００１９】
本発明第１１の構成は、前記第１〜第１０の構成のいずれか１つの構成に加えて、ヒータの樹脂フィルムシートに対する熱溶着時間を設定する熱溶着時間可変設定手段を有することを特徴とする包装装置である。
【発明の効果】
【００２０】
本発明の包装装置の基本構成（第１の構成）は、ヒータで、被包装物の入った樹脂フィルムシートの後方側をヒータ受け部に押し当てて、熱溶着したあと、送り出し機構を回転駆動するモータを逆転させて樹脂フィルムシートを送り出し方向とは逆方向に引き戻すことにより熱溶着部分を切断し、その後ヒータを退避させるようにしており、この退避により被包装物を包んだ包装物を保持しているものはなくなるので、包装物は自重で下方へ進む（落下或いはガイド板に沿って滑って行く）ので、従来装置のような引っ張りローラ、第２押し付け従動ローラ、第２押し付け・退避機構やその駆動源が不要となり、これにより、装置が従来より、簡略化、小型化されその分価格の低減も可能になるという顕著な利点がある。
【００２１】
第２の構成では、第１センサ、ヒータ受け部、ヒータおよび第２センサが、送り出し機構および押し付け手段よりも低い位置にあるので、包装部の開口部へ被包装物を投入した際、先端が先の包装工程ですでに溶着されて閉じられている樹脂フィルムシートの先端に達し、その状態で自重で先端が第１センサに達するので、第１センサに達するまでは押し付け従動ローラを送り出しローラに押し付けたり、送り出しローラを駆動したりする必要がないという利点がある。
【００２２】
第３の構成では、第１の構成の効果に加えて、手動スイッチのオン操作により任意に包装装置を起動させることができるという利点がある。
【００２３】
第４の構成では、送り出し機構から送り出された、被包装物を包んだ樹脂フィルムシートは自重でヒータ受け部、ヒータおよびセンサ部分に達することができるという利点がある。
【００２４】
第５の構成では、ヒータ受け部およびヒータの下方は、包装完了品が落下し得る空間となっているので、熱溶着後ヒータが退避すると包装物は自重で下方の溜り場へ落下し、構造は極めて単純になるという利点がある。
【００２５】
第６の構成では、送り出し機構と押し付け手段がローラで構成されているので非常に簡単な構造になるという利点がある。
【００２６】
第７の構成では、ローラが、被包装物の少なくとも両端縁部を挟むようになっているので、斜め送りを防ぎ、平衡のとれた送り出しおよび引き戻しができるという利点がある。
【００２７】
第８の構成では、ヒータ押し当て・退避機構がパルスモータと回転往復変換機構を用いているのでヒータの押し当てや退避が漸進的に行われ、特に押し当て時の衝撃が少ないという利点がある。
【００２８】
第９の構成では、ヒータが樹脂フィルムシートをヒータ受け部に押し付け熱溶着した後、退避しようとするときにヒータよりも遅れて樹脂フィルムシートから離れるフィルム・ヒータ粘着防止弾性部材を有しているので樹脂フィルムシートがヒータに粘着して付随して行くことがないという利点がある。
【００２９】
第１０の構成では、熱溶着時に、ヒータの他にヒータの下流側で樹脂フィルムシートをヒータ受け部に確実に押し付けるフィルム押さえ手段を有しているので、溶着後のモータ逆転による引き戻し切断が確実に行われるという利点がある。
【００３０】
第１１の構成では、熱溶着時間可変設定手段を有しているので、熱溶着に要する時間の異なる各種の樹脂フィルムシートの使用が可能であるという利点を有している。
【発明を実施するための最良の形態】
【００３１】
本発明包装装置の実施においては、包装部、送り出し機構と押し付け手段、ヒータとヒータ受け部およびセンサを上下方向に配設しセンサの下方は落下空間にするのが最良の実施形態である。
被包装物の自重による動きを利用できるからである。
【００３２】
送り出し機構および押し付け手段は、プーリとベルトで構成する手段或いはこれらとローラを組み合わせた手段等が考えられるが、ローラのみで構成することがスペース占有が少なく最良の形態である。
ローラは斜め送りが生じぬよう折り合わせシートの左右縁部を対称に押さえるようにするのが最良である。
【００３３】
押し付け退避機構およびヒータ押し当て・退避機構は、単純には電磁ソレノイド等が考えられるが、動作時の衝撃や動きの漸進性を考慮すると、回転角度の制御が容易で正確なパルスモータとスライダクランク機構を用いるのが最良である。
【００３４】
また、ヒータによる熱溶着後、ヒータが退避するときに樹脂フィルムシートがヒータに粘着して付いていかないよう粘着防止弾性部材を設けること、溶着後、確実な引き戻し切断ができるよう折り合わせシートを確実に押さえるシート押さえ手段を設けること、樹脂フィルムシートの種類に応じてヒータの押し当て溶着時間を可変設定する手段を設けることは最良の実施の形態である。
以下、本発明の実施例を図面を参照して説明する。
【実施例１】
【００３５】
図１は、本発明包装装置の実施例１の構成を示すブロック図である。
ロール５から樹脂フィルムシート３が包装部４の開口部２へ掛け渡され、包装部４によって、１枚物の樹脂フィルムシート３が図８に示すような折り合わせシート６にされ、下方へ出るようになっており、その先端１０が１回前の包装工程で熱溶着され閉じられた状態になっていることは、図６の従来装置の場合と同じである。
その状態で、開口部２から被包装物１が投入されると、下方へ落下して行きその下端が先端１０に達すると、折り合わせシート６ごと下方へ進む。
先端１０が第１センサ１１に達すると第１センサ１１はその検知信号を制御器１７へ送る。検知信号を受けた制御器１７は押し付け・退避機構１２へ押し付け従動ローラ７を送り出しローラ８の方へ押し付けさせる押し付け信号を出力するとともに、モータ９へ送り出しローラ８を反時計方向へ回転させる駆動信号を送る。
【００３６】
このとき、押し付け従動ローラ７と送り出しローラ８の間には、被包装物１の入った折り合わせシート６があるから、折り合わせシート６は送り出しローラ８と押し付け従動ローラ７に挟まれて、モータ９の駆動により下方へ送り出される。送り出されて、折り合わせシート６内の被包装物１の後端が第２センサ１６の前を通過すると第２センサ１６の検知信号が制御器１７へ送られ、検知信号を受けた制御器１７はモータ９への駆動信号を停止しモータ９の回転駆動を停止させる。図２の（ａ）はモータ９の回転が停止したときの状態を示す図である。
【００３７】
次いで、制御器１７はヒータ押し当て・退避機構１３へヒータ１４をヒータ受け部１５の方へ押し当てさせる制御信号を出力する。これによりヒータ１４は、図２の（ｂ）のように被包装物１の後端（図では上端）より上の部分の折り合わせシート６をヒータ受け部１５に押し付ける。ヒータ１４は、樹脂フィルムシートを熱溶着する温度に加熱されているので折り合わせシート６はその幅方向（図では紙面に垂直な方向）で全幅に渡って熱溶着され、被包装物１の入った部分は閉じられることになる。
【００３８】
そして予め設定されている時間が経過すると制御器１７はモータ９へ予め定めた時間或いは回転数だけ逆回転させる駆動信号を送る。
これにより、送り出しローラ８は時計方向へ回転することになる。このときはまだ、押し付け従動ローラ７は送り出しローラ８の方へ押し付けられているので折り合わせシート６は両ローラに挟まれた状態になっている。
その状態で送り出しローラ８が時計方向に回転するから折り合わせシート６は上方へ引き戻されるように引っ張られ溶着部分で引きちぎられて上に所定寸法だけ上昇する。その先端１０は熱溶着により閉じている。
【００３９】
次いで制御器１７はヒータ押し当て・退避機構１３へヒータ１４を退避させる制御信号を送り、ヒータ１４を退避させる。そうすると、溶着部分をヒータ１４でヒータ受け部１５に押し付けられてぶら下っていた被包装物を包んでいる部分の折り合わせシートは押さえるものがなくなってしまうため自重で下方へ落下するということになる。この後、制御器１７は、押し付け・退避機構１２へ退避信号を送り、押し付け従動ローラ７を退避させ、１回の包装工程を終了する。
【００４０】
そして再び開口部２から新たな被包装物１を投入することにより、次の包装工程が開始される。
本実施例では、送り出し機構と押し付け手段はともにローラを用いているが、プーリとベルトを用いた構成であってもよい。ただ、ローラよりは占有スペースが大きくなるであろう。
【００４１】
ヒータ押し当て・退避機構１３および押し付け・退避機構１２は図３に示すように、パルスモータ２３の回転軸に連結した回転盤２４と往復アーム２６の一端を連結桿で連結したスライダクランク機構を用いている。
パルスモータは回転角度を精密に制御でき、また往復アーム２６が最も左方へ突出する付近では往復速度が小さくなって、ヒータ１４がヒータ受け部１５に激突しないという利点がある。
【００４２】
図４は、ヒータ支持部２８に粘着防止材を設けた場合の一例の構造図である。
（ａ）は上から見た平面図であり、左側の両矢印はヒータ支持部２８およびヒータ１４の押し当て・退避方向を示す。（ｂ）は、（ａ）を右側から見た側面図であり、右向き矢印は包装物の進行方向を示す。
粘着防止部材２７はヒータ１４の下流側に設けられ、その前方部はヒータ１４よりも、ヒータ受け部１５の方へ出ている。従ってヒータ１４が折り合わせシート６をヒータ受け部１５へ押し当てようとするときには、まず先に粘着防止部材２７が折り合わせシート６をヒータ受け部１５に押し当て、更にヒータ１４が当接するまで押されると粘着防止部材２７はアーム２９が撓んでより強く押し付けられることになる。
【００４３】
このようにヒータ１４より前方に出ているので、ヒータ１４が熱溶着を完了して退避し始めてもアーム２９が撓んでいる限り粘着防止部材２７をなおヒータ受け部１５に押し付けているので、折り合わせシート６の熱溶着部分がヒータ１４の先端に付着して行くのを防止することになる。
【００４４】
この実施例では、粘着防止部材２７の弾力動作をアーム２９の撓みによって行わせているが、これに限られるものではなく、粘着防止部材２７のアーム２９取り付け部分にアーム２９と軸方向を同じくする圧縮反発コイルばねを用いる構造であってもよい。
【００４５】
図５は、ヒータ支持部２８上、ヒータ１４の下流側にシート押え３０を設けた場合の一例の構造図である。
（ａ）は、上から見た平面図であり、左側の両矢印はヒータ支持部２８およびヒータ１４の押し当て・退避方向を示す。（ｂ）は、（ａ）を右側から見た側面図であり、右向き矢印は包装物の進行方向を示す。
本発明包装装置では、折り合わせシート６にヒータ１４を押し当てて熱溶着した後、ヒータ１４を押し当てたまま、モータ９を逆転させて折り合わせシート６を上方へ引き戻すことにより、溶着部分でちぎるようにして切断している。
【００４６】
従って、ヒータ１４より下流にある被包装物の入った折り合わせシート６の部分をしっかりと押さえておく必要がある。
この押さえ力を補強するためにシート押え３０が設けられている。先端の位置はヒータ１４と同じかヒータ１４より若干出る位に調整される。
以上の他、使用する樹脂フィルムシートの種類に応じて、ヒータ１４の押し当て溶着時間を調整できる手段を設けておくことにより、種々の樹脂フィルムシートを用いることができる。
【実施例２】
【００４７】
図６は、本発明包装装置の実施例２の構成を示すブロック図である。
図１と相違する点は、図１の第１センサ１１を削除し、手動スイッチ３２を追加した点である。これにより、包装部４の開口部２へ被包装物１を投入しても、それだけでは、モータ９、従って送り出しローラ８も回転しないし、押し付け・退避機構１２も押し付け従動ローラ７を送り出しローラ８へ押付けは行われない。
手動スイッチ３２をオン操作することによって初めて以上の動作が開始される。
【００４８】
手動スイッチ３２をオン操作するとその操作信号は制御器１７へ送られ、この信号に基づいてモータ９へ回転駆動電源を送ると同時に、押し付け・退避機構１２が押し付け従動ローラ７を送り出しローラ８の方へ押し付け、両ローラの間に挟まれた被包装物入りの折り合わせシート６を下方へ送り出す。
以後の動作は図１（実施例１）の場合と同じである。
【００４９】
図１（実施例１）の場合は、被包装物１を投入して、樹脂フィルムシートに包まれた被包装物の先端が第１センサ１１に達すると包装装置は自動的に起動されるが、図６（実施例２）の場合は、手動スイッチ３２をオン操作して初めて起動される。
【図面の簡単な説明】
【００５０】
【図１】本発明包装装置の実施例１の構成を示すブロック図である。
【図２】図１の装置において、モータの送り出し回転が停止し、ヒータで折り合わせシートをヒータ受け部に押し付けて熱溶着する工程を示す図である。
【図３】図１の装置におけるヒータ押し当て・退避機構および押し付け・退避機構に用いられているスライダクランク機構を示す図である。
【図４】図１の装置において、ヒータ支持部上のヒータ下流側に粘着防止材を設けた場合の一例の構造図である。
【図５】図１の装置において、ヒータ支持部上のヒータ下流側にシート押えを設けた場合の一例の構造図である。
【図６】本発明包装装置の実施例２の構成を示すブロック図である。
【図７】従来のこの種包装装置の構成を示すブロック図である。
【図８】図７の包装装置の包装部の展開図および構造図である。
【図９】帯状の樹脂フィルムシートが図７に示す包装部で折り合わせシートになる状況を示す図である。
【符号の説明】
【００５１】
１  被包装物
２  開口部
３  樹脂フィルムシート
４  包装部
５  ロール
６  折り合わせシート
７  押し付け従動ローラ
８  送り出しローラ
９  モータ
１０  先端
１１  第１センサ
１２  押し付け・退避機構
１３  ヒータ押し当て・退避機構
１４  ヒータ
１５  ヒータ受け部
１６  第２センサ
１７  制御器
１８  引っ張りローラ
１９  第１押し付け・退避機構
２０  第１押し付け従動ローラ
２１  第２押し付け・退避機構
２２  第２押し付け従動ローラ
２３  パルスモータ
２４  回転盤
２５  連結桿
２６  往復アーム
２７  粘着防止部材
２８  ヒータ支持部
２９  アーム
３０  シート押え
３１  金属板
３２  手動スイッチ
３３  センサ
【図１】
2006290434.tif 000003
【図２】
2006290434.tif 000004
【図３】
2006290434.tif 000005
【図４】
2006290434.tif 000006
【図５】
2006290434.tif 000007
【図６】
2006290434.tif 000008
【図７】
2006290434.tif 000009
【図８】
2006290434.tif 000010
【図９】
2006290434.tif 000011